(57)【要約】      （修正有）【課題】  頭部全体に良くフィットするよう装着でき、しかも柔軟で不要な突起を有さず、就床中における理想的な冷却を実現可能とする新たな冷却具を提供する。【解決手段】  人体頭部全体を被冠状とし得る概略ドーム型で、その下端周縁の全周に渡って弾性帯３を取り付けてなる防水・通気性シート製の外殻帽体２を形成し、該外殻帽体２の内側面の要所に、高分子吸収材を内包した綿状パルプの頭部接触面側を吸水紙で被覆したものからなる冷却体を添設すると共に、更にその内側部分に渡り、同冷却体の接触感を緩和するようにしたメッシュ状表面シートで被覆した上、軽く押圧して扁平化したままの冷却貯蔵と、冷却貯蔵したものを概略ドーム型に復元して使用可能にする頭部専用冷却具１である。【選択図】    図４
0003118401.tif 000002
【実用新案登録請求の範囲】
【請求項１】
人体頭部全体を被冠状とし得る概略ドーム型で、その下端周縁の一部もしくは全周に渡って弾性帯を取り付けてなる防水・通気性シート製の外殻帽体を形成し、該外殻帽体の内側面の要所に冷却体を添設すると共に、更にその内側で、少なくとも当該冷却体の頭部に接触する虞のある範囲部分を、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなるものとしたことを特徴とする頭部専用冷却具。
【請求項２】
人体頭部全体を被冠状とし得る概略ドーム型で、その下端周縁の一部もしくは全周に渡って弾性帯を取り付けてなる防水・通気性シート製の外殻帽体を形成し、該外殻帽体の内側面の要所に、高分子吸収材か、または高分子吸収材を内包した綿状パルプか、あるいはそれら何れかの頭部接触面側を吸水紙で被覆したものかの何れかからなる冷却体を添設すると共に、更にその内側で、少なくとも当該冷却体の頭部に接触する虞のある部分に渡り、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなるものとしたことを特徴とする頭部専用冷却具。
【請求項３】
人体頭部全体を被冠状とし得る概略ドーム型で、その下端周縁の一部もしくは全周に渡って左右眉毛付近から左右の耳殻と頬との間付近を通り頸椎付近に周り込むよう装着可能な弾性帯を取り付けると共に、左右耳殻の対応箇所夫々に耳介露出口を開口してなる防水・通気性シート製の外殻帽体を形成し、該外殻帽体の内側面の要所に、高分子吸収材か、または高分子吸収材を内包した綿状パルプか、あるいはそれら何れかの頭部接触面側を吸水紙で被覆したものかの何れかからなる冷却体を添設すると共に、更にその内側で、少なくとも当該冷却体の頭部に接触する虞のある部分に渡り、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなるものとしたことを特徴とする頭部専用冷却具。
【請求項４】
人体頭部全体を被冠状とし得る概略ドーム型で、その下端周縁の左右眉毛付近から左右耳殻と頬との間付近に至る範囲と、頸椎付近を周り込む範囲との双方もしくは一方に弾性帯を取り付け、且つ左右の耳殻と頬との間付近の周縁端または頸椎付近の周縁端からは、先端側に貼着用粘着面を形成し、その範囲に剥離紙を剥脱容易に貼着し、装着の際の頸椎付近の周縁部か、あるいは左右の耳殻と頬との間付近の周縁部かの何れか対応する外周面の適所に貼着可能とした貼着バンドを、装着の際に左右耳殻の対応箇所夫々に耳介露出口を形成可能とするよう延伸させた防水・通気性シート製の外殻帽体を形成し、該外殻帽体の内側面の要所に、高分子吸収材か、または高分子吸収材を内包した綿状パルプか、あるいはそれら何れかの頭部接触面側を吸水紙で被覆したものかの何れかからなる冷却体を添設すると共に、更にその内側で、少なくとも当該冷却体の頭部に接触する虞のある部分に渡り、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなるものとしたことを特徴とする頭部専用冷却具。
【請求項５】
冷却体が、その略全面に及び点在する複数箇所の夫々を、対応する外郭帽体内周壁面に対して肉厚方向に、縫着、熱熔着あるいは接着剤による溶着等によってズレ動かないよう一体化してなるものとした、前記請求項１ないし４何れか一項記載の頭部専用冷却具。
【請求項６】
高分子吸収材が、水溶性ポリマーであり且つ不凍ジェルである、前記請求項１ないし５何れか一項記載の頭部専用冷却具。
【請求項７】
高分子吸収材が、予め人体に安全な揮発性液体を十分に吸収したものとし、使用前の蒸発を防ぐよう冷却体もしくは帽体全体を通気不能な密閉状態に保ち、使用直前に開放可能とする密閉包装を施してなるものとした、前記請求項１ないし６何れか一項記載の頭部専用冷却具。                                                                                                  
【考案の詳細な説明】
【技術分野】
【０００１】
この考案は、衛生用品に関連するあらゆる分野をその技術分野とするものであり、冷却用品を製造、提供、販売する分野から、製造用資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                      
【背景技術】
【０００２】
（着目点）
発熱や頭痛あるいは暑くて寝苦しい夜等には、ふるくから氷枕や氷嚢等が使用されてきたが、最近では氷を準備、交換し、タオルで巻いて冷やし過ぎを防止する等という面倒な作業が不要な上、しかも患部に簡単に装着するだけで、長時間に渡って安定した冷却効果が得られ、交換も容易な使い捨て用のシート型あるいはラミネートパック型の冷却用品が多数、実用化され広く一般市場に普及している。
【０００３】
しかしながら、こうしたシート型あるいはラミネートパック型の冷却用品は、肌に直接貼着しなければならないものが多く、特に乳幼児や皮膚の弱い人にとっては気触れや爛れの原因となってしまう虞がある外、シート型の冷却用品にあっては、頭部を対象とする冷却のときに前額にだけ貼着可能なものであり、その冷却範囲に大きな制限を受けるものとなっており、急速な冷却効果を得ようとすると局所、集中的な冷却となってしまうなど欠点を有するものであった。
【０００４】
さらに、シート型冷却用品には、木綿や紋羽、フランネル・ガーゼあるいは不織布等に貼着用の粘着剤を兼ねた冷却剤を塗布した湿布状の製品が多く、ゲル状を呈する冷却剤中に含まれた水分が冷却効果の持続と共に蒸発していき、外縁側から中央に向けて次第に乾燥することとなり、この乾燥の進行と共に冷却効果が著しく低下してしまうために、通常、比較的早い中に新しいものと交換し、適正な冷却が持続できるよう管理しなければならないものである。
【０００５】
ところが、急がしい現代生活の中では、適正な交換時期にケアできずにそのまま乾燥が進み、粘着剤としての密着性能が十分確保されずに肌から剥離し、最終的に脱落してしまう虞があることから、衣類や寝具を汚染してしまったり、あるいは乳幼児等の場合にはゲル状の冷却剤部分を誤飲または食べてしまうことも懸念され、いくら安全性の高い薬剤を使用しているとはいえ、好ましくない欠点を有するものであった。
【０００６】
（従来の技術）
そうした中にも、その打開策となり得るものとして、例えば特開２０００−６０８９２号公報「頭部冷却用具」考案として提案されているもののように、頭の形に合う円形状とし、出入れ口を設けた袋中に保冷剤や冷却剤等を入れ、防止やヘルメット等の内側に面ファスナ等を用いて仮固定可能になるものとし、炎天下での作業や運動、外出等の際に、帽子等の内側に装着して利用可能としたものや、実開平６−３１７１６号公報に開示された「氷嚢（保冷剤）の帽子状固定具」考案のように、帽子型固定具の外側表面適所に施蓋可能なポケットを形成し、該ポケットに氷嚢（保冷剤）を取り出し自在に収納可能としたもの、あるいは実用新案登録第３０３６９１０号公報の「保冷帽子」考案では、帽子状に形成した保冷材の下端外周縁に添って水滴吸収用の鍔を設けたハット型のもの等が散見される。
【０００７】
しかし、前者の「頭部冷却用具」考案は、既存する一般の帽子や、専用の帽子やヘルメット等と併用する必要があり、同様に「氷嚢（保冷剤）の帽子状固定具」考案によるものも専用の帽子を必須とし、後者の「保冷帽子」もまた、その帽子の全周縁に渡って鍔が設けられたハット型となっていることから、何れも屋外での使用が前提のものであり、発熱や頭痛等の際に就床、休眠しているような場合に使用するには大層不便なものとなってしまうという欠点を残すものであった。                                                                                                
【特許文献１】（１）特開２０００−６０８９２号公報  （２）実開平６−３１７１６号公報  （３）実用新案登録第３０３６９１０号公報
【考案の開示】
【考案が解決しようとする課題】
【０００８】
（問題意識）
上述したとおり、従前までに提案のある「頭部冷却用具」、「氷嚢（保冷剤）の帽子状固定具」および「保冷帽子」などは、何れも帽子やヘルメットの併用、もしくは保冷剤それ自体が帽子型あるいはハット型等の外観形状を呈するものであり、屋外の使用については確かに合理的な構造を採用したものとなっているものの、発熱や頭痛等の際に就眠中に着用することについては全く考慮されておらず、仰臥姿勢で使用する場合に鍔が邪魔になって到底快適に装着できない上、保冷剤だけを直接、肌に着用しようとしても適当な取り付け手段を備えておらず、長時間に渡って安定的に装着することが不可能であるという欠点があり、これまで病気や怪我等の療養の際に、頭部全体に装着して快適且つ有効に用いることができる冷却具が一切提供されていなかったことに疑問を抱いた。
【０００９】
（考案の目的）
そこで、この考案は、発熱や頭痛、あるいは暑くて寝苦しい夜などに頭部全体に良くフィットするよう装着でき、しかも柔軟で不要な突起を有さず、就床中における理想的な冷却を実現可能とする新たな冷却具の開発はできないものかとの判断から、逸速くその開発、研究に着手し、長期に渡る試行錯誤と幾多の試作、実験とを繰り返してきた結果、今回、遂に新規な構造の頭部専用冷却具を実現化することに成功したものであり、以下では、図面に示すこの考案を代表する実施例と共に、その構成を詳述することとする。                                                        
【課題を解決するための手段】
【００１０】
（考案の構成）
図面に示すこの考案を代表する実施例からも明確に理解されるように、この考案の頭部専用冷却具は、基本的に次のような構成から成り立っている。
即ち、人体頭部全体を被冠状とし得る概略ドーム型で、その下端周縁の一部もしくは全周に渡って弾性帯を取り付けてなる防水・通気性シート製の外殻帽体を形成し、該外殻帽体の内側面の要所に冷却体を添設すると共に、更にその内側で、少なくとも当該冷却体の頭部に接触する虞のある範囲部分を、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなるものとした構成を要旨とする頭部専用冷却具である。
【００１１】
この基本的な構成からなる頭部専用冷却具を、より具体的に示すと、人体頭部全体を被冠状とし得る概略ドーム型で、その下端周縁の一部もしくは全周に渡って弾性帯を取り付けてなる防水・通気性シート製の外殻帽体を形成し、該外殻帽体の内側面の要所に、高分子吸収材か、または高分子吸収材を内包した綿状パルプか、あるいはそれら何れかの頭部接触面側を吸水紙で被覆したものかの何れかからなる冷却体を添設すると共に、更にその内側で、少なくとも当該冷却体の頭部に接触する虞のある部分に渡り、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなるものとした構成からなる頭部専用冷却具ということができる。
【００１２】
これら構成を、より具体的なものとして示すならば、人体頭部全体を被冠状とし得る概略ドーム型で、その下端周縁の一部もしくは全周に渡って左右眉毛付近から左右の耳殻と頬との間付近を通り頸椎付近に周り込むよう装着可能な弾性帯を取り付けると共に、左右耳殻の対応箇所夫々に耳介露出口を開口してなる防水・通気性シート製の外殻帽体を形成し、該外殻帽体の内側面の要所に、高分子吸収材か、または高分子吸収材を内包した綿状パルプか、あるいはそれら何れかの頭部接触面側を吸水紙で被覆したものかの何れかからなる冷却体を添設すると共に、更にその内側で、少なくとも当該冷却体の頭部に接触する虞のある部分に渡り、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなるものとした頭部専用冷却具となる。
【００１３】
同様に、人体頭部全体を被冠状とし得る概略ドーム型で、その下端周縁の左右眉毛付近から左右耳殻と頬との間付近に至る範囲と、頸椎付近を周り込む範囲との双方もしくは一方に弾性帯を取り付け、且つ左右の耳殻と頬との間付近の周縁端または頸椎付近の周縁端からは、先端側に貼着用粘着面を形成し、その範囲に剥離紙を剥脱容易に貼着し、装着の際の頸椎付近の周縁部か、あるいは左右の耳殻と頬との間付近の周縁部かの何れか対応する外周面の適所に貼着可能とした貼着バンドを、装着の際に左右耳殻の対応箇所夫々に耳介露出口を形成可能とするよう延伸させた防水・通気性シート製の外殻帽体を形成し、該外殻帽体の内側面の要所に、高分子吸収材か、または高分子吸収材を内包した綿状パルプか、あるいはそれら何れかの頭部接触面側を吸水紙で被覆したものかの何れかからなる冷却体を添設すると共に、更にその内側で、少なくとも当該冷却体の頭部に接触する虞のある部分に渡り、同冷却体の接触感を緩和するようにしたメッシュ状表面シートで被覆した上、軽く押圧して扁平化したままの冷却貯蔵と、冷却貯蔵ものを概略ドーム型に復元使用とを可能にしてなる頭部専用冷却具ということが可能である。                                                                                              
【考案の効果】
【００１４】
以上のとおり、この考案の頭部専用冷却具によれば、人体頭部全体を被冠状とし得る概略ドーム型で、その下端周縁の一部もしくは全周に渡って弾性帯を取り付けてなるシート製外殻帽体の内側面要所に冷却体を添設したものとしたことから、従来品に見られるような鍔やポケット類等の不要突起物を無くして仰臥姿勢での快適な利用を実現すると共に、頭部の略全体を同時に冷却することができるものとなり、従来品のシート型やラミネートパック型のように人体に直接貼着する必要がなく、しかも冷却体の頭部に接触する虞のある範囲部分をメッシュ状表面シートで被覆したことによって同冷却体の接触感を緩和するようにし、通気性を確保して気触れや爛れの発生を抑制することができ、しかも軽く押圧して扁平化したままの冷却貯蔵と、冷却貯蔵ものを概略ドーム型に復元使用とを可能にしたことから、冷蔵庫に常備して置き、急な発熱や頭痛等にも素早く取り出して装着することができるという秀れた特徴が得られるものである。
【００１５】
加えて、冷却体を、高分子吸収材として水分やその外の揮発性液体を十分に吸収させたものでは、通常の濡れタオル等に比較して格段に高い冷却性能と長い持続時間とを得ることができ、また高分子吸収材を内包した綿状パルプを用いて水分やその外の揮発性液体を十分に吸収させたものによれば、少量の高分子吸収材であっても液体の漏出を防ぎ、高い冷却性能と持続性能とを確保して、より経済性に優れたものとすることができ、さらにそれら何れかの頭部接触面側を吸水紙で被覆したものとした場合には、人体からの汗をも吸収して乾燥状態を維持して蒸れによる不快感を改善できるという効果を発揮するものとなる。
【００１６】
また、外殻帽体の左右耳殻の対応箇所夫々に耳介露出口を開口したものでは、耳が塞がれて嫌がるような乳幼児等にも欣快に装着することができ、さらに、左右眉毛付近から左右耳殻と頬との間付近に至る範囲と、頸椎付近を周り込む範囲との双方もしくは一方に弾性帯を取り付け、左右の耳殻と頬との間付近の周縁端または頸椎付近の周縁端から、先端に剥離紙を伴う貼着用糊着面を形成した貼着バンドを、装着の際に左右耳殻の対応箇所夫々に耳介露出口を形成可能とするよう延伸させたものによれば、装着対象となる頭部の個々人の周囲寸法に応じて簡便に調節し、最適な装着状態に被着でき、締め付け過ぎによる不快感や不用意な離脱等を大幅に改善し、より快適な使用を実現することができる。
【００１７】
そして、冷却体の略全面に及び点在する複数箇所の夫々を、対応する外郭帽体の内周壁面に対して肉厚方向に、縫着、熱熔着あるいは接着剤による溶着等によって一体化したものによれば、高分子吸収材の偏りや、それに起因する帽体全体のズレ動き等を解消して均質な冷却を実現可能とすることができ、さらに、高分子吸収材を水溶性ポリマーであり且つ不凍ジェルとすれば、水道水を浸透させて簡便且つ経済的に利用することが可能となり、しかも折り畳んだ状態で冷蔵庫の冷凍室に保管した場合にも固形化せず、柔軟性を維持したまま容易に展開させて人体頭部に円滑にフィットさせるよう装着することが可能となり、その実用性を大幅に拡大することができる。
【００１８】
さらにまた、高分子吸収材に対して予め人体に安全な揮発性液体を十分に吸収したものとし、使用前の蒸発を防ぐよう冷却体もしくは帽体全体を通気不能な密閉状態に保ち、使用直前に開放可能とする密閉包装を施したものによれば、利用者は購入した後に、水道水の供給等煩わしい作業を行わずに、そのまま冷蔵庫等に投入して揮発性液体を高分子吸収材中に閉じ込めたまま冷却することができ、使用する直前に密閉包装を破いて冷却体、あるいは頭部専用冷却具全体を取り出して空気中に露出させ、冷却機能を解放すると共に、これを人体頭部に装着して高い冷却効果を享受できるものとすることができる。                                                            
【考案を実施するための最良の形態】
【００１９】
上記したとおりの構成からなるこの考案の実施に際し、その最良もしくは望ましい形態について説明を加えることにする。
外殻帽体は、冷却体およびそれに付随するメッシュ状表面シート等を人体頭部の全体に、防水性、および通気・透湿性を確保できるよう被冠状とし得るものとすると共に、弾性帯を介して頭部周囲に弾性的に仮留め状、装着可能とする機能を果たすものであり、冷却体を液密状に被覆して十分な強度で保持し、適度の柔軟性を有して人体に接触したときに不快感や肌荒れ等を生じさせない成分からなるものとしなければならず、人体頭部全体を被冠状とし得る概略ドーム型で、その下端周縁に添って弾性帯を取り付けたものとすべきであり、例えば、後述する実施例にも示すように、装着の際に人体頭部左右耳殻付近に対応する箇所の夫々、計２箇所に耳介露出口を形成もしくは装着の際に形成可能としたものとするのが望ましく、より具体的には、全面に液体を漏らさず通気性を確保する肉厚方向のミクロン単位の孔を多数、形成したポリエチレンフィルム、ポリオレフィンフィルム等の合成樹脂製とし、その表面に肌触りの柔らかなポリプロピレン、ポリエステル製等の不織布をラミネート加工して一体化したものとすることができる。
【００２０】
弾性帯は、概略ドーム型に形成された外殻帽体の下端周縁を、人体頭部の周囲に添って弾性的に収縮させ、不用意に離脱しない程度に被冠状装着可能とする機能を果たし、外殻帽体下端周縁の一部範囲もしくは全周に添って取り付けたものとしなければならず、より具体的には後述する実施例にも示すように帯状とした天然ゴムか、スチレンゴム、クロロプレンゴム、ブチルゴム、ニトリルゴム、エチレンプロピレンゴム、シリコーンゴム、ウレタンゴム等の各種合成ゴムかの何れから選択、採用することができ、外殻帽体との一体化は、外殻帽体下端周縁に添って環状パイプ部を形成し、その環状パイプ部にゴム製帯を通して両端を環状に結合したもの、または輪状としたゴム製帯の中途複数箇所を外殻帽体下端周縁に添って熱熔着あるいは接着剤による溶着を施して一体化したもの、もしくは外殻帽体下端周縁に添って形成した環状パイプ部に挿通したゴム製帯を、該環状パイプ部外側からジグザグステッチによる縫着によって一体化したもの等とすることができ、またゴム製帯を外殻帽体下端周縁に添って分断状に配置、一体化したものや、適所に人体頭部への締め付け状態を調節自在とする調節機能付きのバンドを設けたものとすること等が可能である。
【００２１】
耳介露出口は、外殻帽体を人体頭部に被冠、装着したときに左右の耳殻を外部に露出させて、閉塞による聴覚機能の妨害を解消し、乳幼児等が装着を嫌がるのを防止する機能を果たすものであり、外殻帽体を人体頭部に被冠する際に左右耳殻付近に対応する箇所の夫々、左右計２箇所に耳介を外部に露出可能とする程度の孔もしくは凹欠部を形成したものとすべきであり、より具体的には後述する実施例に示すように、外殻帽体の下端周縁に添う弾性帯あるいは貼着バンドの内側縁（頭頂側縁）付近に開口させたものとすべきであり、対応する左右箇所付近の夫々に貼着バンドを設けた場合には、外殻帽体の対応箇所夫々に耳介露出用の開放型凹欠部を形成し、各貼着バンドの貼り付けによって閉じ合わされ、各露出口が形成されるものとすることができる。
【００２２】
貼着バンドは、外殻帽体の下端周縁の一部に締め付け、調節機能を付加可能とするものであり、同外殻帽体下端周縁に添った一部区間を締付け調節の対象とし、先端に着脱機能を有したバンドにより、その連結位置を周回り方向に進退、調節可能とする機能を果たすものであり、例えば、外殻帽体下端周縁の周回り所定範囲に帯状の面ファスナ（雌または雄）を貼着し、これに隣接する周回り適所から、先端に面ファスナ（雄または雌）を貼着したバンドを延伸させたものとすることができる外、後述する実施例にも示すように、先端側に貼着用粘着面を形成し、その範囲に剥離紙を剥脱容易に貼着したバンドを設け、剥離紙を剥がして締め付け状態を調節しながら外殻帽体外周面の適所に貼着可能としたものとすることができる。
【００２３】
冷却体は、外殻帽体の内側適所に氷嚢や氷枕または濡れタオルに匹敵するか、あるいはそれ以上の冷却機能を付与すると共に、不快な水の漏出を防止して冷却持続時間を大幅に拡大可能とする機能を果たすものであり、より具体的には、高分子吸収材か、または高分子吸収材を内包した綿状パルプか、あるいはそれら何れかの頭部接触面側を吸水紙で被覆したものかの何れかからなるものとしなければならず、後述する実施例にも示しているように、略全面に及び点在する複数箇所の夫々を、対応する外郭帽体内周壁面に対して肉厚方向に、縫着、熱熔着あるいは接着剤による溶着等によってズレ動かないよう一体化してなるものとするのが望ましい。
【００２４】
高分子吸収材は、冷却体に内包されて水道水や蒸留水等の揮発性液体を十分に吸収でき、一旦吸収した揮発性液体を簡単には液体のまま漏出させず、外部から気化熱を吸収して蒸発する際に冷却機能を発揮するものであり、より具体的には、水性の液体を比較的多量に吸収できる水溶性ポリマーとすべきであり、さらに不凍ジェルとしての機能を有するものとするのが望ましく、表現を変えて示すと例えば、ポリアクリル酸ソーダやカルボキシメチルセルロースナトリウムあるいはコーンスターチ等の高分子ポリマーを含むものであるということができ、予め人体に安全な揮発性液体を十分に吸収したものとし、使用前の蒸発を防ぐよう冷却体もしくは帽体全体を通気不能な密閉状態に保ち、使用直前に開放可能とする密閉包装を施したものとすることができる。
【００２５】
メッシュ状表面シートは、少なくとも冷却体の人体に接触する可能性のある範囲を、吸湿可能且つ過冷却を防止可能とするよう被覆する機能を果たすものであって、何よりもまず柔軟性に富み、肌触りが滑らかで、アレルギー症状や湿疹、気触れ等の発生を十分に防止できる程度に有害物質を含まない成分からなるものとしなければならず、少なくとも人体接触表面付近に、ある程度の空気層を形成して冷却機能に悪影響を及ぼさない程度の僅かな断熱・保温性を発揮し、人体からの発汗や冷却体表面の結露等、湿潤や蒸れに繋がる水分を素早く吸収し、高い通気性によって迅速に乾燥へと導くものとすべきであり、例えば、使用前に利用者が冷却体に水道水や蒸留水等の揮発性液体を吸収させるものとした場合には、液体の通過性に優れ、素早く冷却体に浸透、到達させることができる合成樹脂製の不織布にコットンを混紡し、人体と接触する表面にメッシュ状の網目加工を施したものとするのが望ましい。
以下では、図面に示すこの考案を代表する実施例と共に、その構造について詳述することとする。                                                                                                  
【実施例１】
【００２６】
図１の展開状態にある頭部専用冷却具の平面図、図２の冷却体の断面図および図３のメッシュ状表面シートを装着した冷却体の断面図に図示される事例は、人体頭部全体を被冠状とし得る概略ドーム型で、その下端周縁の全周に渡って弾性帯３を取り付けてなる防水・通気性シート製の外殻帽体２を形成し、該外殻帽体２の内側面の要所に、高分子吸収材４１を内包した綿状パルプ４２の頭部接触面側を吸水紙４３で被覆したものからなる冷却体４を添設すると共に、更にその内側部分に渡り、同冷却体４の接触感を緩和するようにしたメッシュ状表面シート６で被覆した上、軽く押圧して扁平化したままの冷却貯蔵と、冷却貯蔵ものを概略ドーム型に復元しての使用とを可能にしてなる、この考案の頭部専用冷却具における代表的な一実施例を示すものである。
【００２７】
当該頭部専用冷却具１は、図１中に示すように、液体を通さず気体のみを通すミクロン単位の多数の孔が形成されたポリエチレンフィルム製シート素材を、人体頭部に被冠状に装着可能とする直径に設定された略円形状に裁断してなる外殻帽体２からなり、該外殻帽体２の外周縁に添って一定幅のチューブ部を形成するよう折り畳み、その内側に添って被冠対象となる人体頭部周囲寸法よりも短く、装着の際に適度な締め付け力を発揮可能な長さ寸法とした天然ゴム製弾性帯３を装着し、帯幅に渡るジグザグステッチによる縫合を施すことによって一体に取り付けたものとなっている。
【００２８】
該弾性帯３によって円形に囲まれた外殻帽体２内側面には、図１および図２中に示されるように、水溶性ポリマーであり且つ不凍ジェルの性質をもつ高分子吸収材４１を綿状パルプ４２で積層状に挟み込み、装着の際の人体頭部側に接する側となる内側面に吸水紙４３を装着した上、略全面に渡る複数の点在箇所夫々を、肉厚方向に結合するホットメルト結合５，５，……によって冷却体４を一体に形成したものとし、さらに、図１中に示した外殻帽体２の弾性帯３の取り付け部分、ならびに冷却体４を含む表裏面の略全体に渡り、図３中に示すように、ポリプロピレン不織布製であって表面にメッシュ状加工を施してなるメッシュ状表面シート６を貼着一体化したものとしている。
【００２９】
該メッシュ状表面シート６は弾性帯３の縫着部分等の複数適所で外殻帽体や冷却体に貼着、結合されたものとしているが、その外にも外殻帽体の外側表面と、冷却体の内側表面との夫々に対しラミネート加工、もしくは多数点在するホットメルト結合部５，５，……の夫々によって一体化されたものとすることが可能である。                                                                          
【実施例２】
【００３０】
図４の耳介露出口を開口した頭部専用冷却具の平面図に示す事例は、人体頭部に装着したときに左右耳殻を外部に露出可能とするよう形成したものであって、図４の頭部専用冷却具１は、装着の際に人体頭部の左右耳殻付近に略対応する弾性帯３よりも僅かに内側配置となる左右部位の夫々に、適当な大きさの耳介露出口２１，２１を開口させたものであり、各耳介露出口２１，２１の開口縁を、熔着あるいは縫合等によって冷却体４を強固且つ液密状に密閉したものとしている。
【００３１】
また、図５の貼着バンドを設けた頭部専用冷却具体の平面図中に示した事例は、外殻帽体２下端周縁の、装着の際の人体頭部における左右眉毛付近から左右耳殻と頬との間付近に至る範囲と、頸椎付近を周り込む範囲との双方夫々に、個別の弾性帯３，３をジグザグステッチ縫合によって一体化させ、装着の際に人体頭部の頸椎付近に配置される弾性帯３両端付近からは、夫々先端側に貼着用粘着面３２を形成し、その範囲に剥離紙３３を剥脱容易に貼着した貼着バンド３１，３１を延伸させ、それら先端側に対応して装着の際の人体左右耳殻と頬との間付近に配置される弾性帯３の両端付近には、左右貼着バンド３１，３１用の貼着代２３，２３を、外殻帽体２の周縁端に添う帯状に形成したものとし、各貼着バンド３１，３１の内側に対応する外殻帽体２外周端縁には、夫々左右の耳介露出凹欠部２２，２２を形成し、その凹欠状周縁部分に対応する冷却体４を熔着あるいは縫合等によって強固且つ液密状に密閉したものとなっている。
【００３２】
（実施例の作用）
以上のとおりの構成からなるこの考案の頭部専用冷却具１は、図１ないし図５の何れの構造とした場合にも扁平化、折り畳み状として保管することが可能であり、冷却体４に対し吸水紙４３を通じて水道水や蒸留水等の揮発性液体を浸透させ、内蔵された綿状パルプ４２およびその中心部の高分子吸収材４１に十分に吸収させた後であっても、外部に漏水することがなく、軽く押圧して扁平化したまま冷却貯蔵することが可能であり、しかも冷却貯蔵したものを概略ドーム型に復元させて使用することが可能である。
【００３３】
高分子吸収材４１を水溶性ポリマーとし、且つ不凍ジェルとしての性質を有するものとした場合には、冷凍庫に保管して凍結させたものであっても冷却体４の柔軟性を失わず、図６の人体頭部に被冠した頭部専用冷却具の正面図に示すように、人体頭部形状に円滑且つ速やかに添わせて異物感なく被冠状とすることが可能となり、また、図４中に示したように、耳介露出口２１，２１を形成した頭部専用冷却具１は、図７の人体頭部に左右耳殻を露出するよう被冠した頭部専用冷却具の正面図に示すように、左右耳殻を対応する耳介露出口２１，２１から外部に露出させて被冠させることが可能となり、装着中に渡って通常の聴覚機能が確保される。
【００３４】
さらに、図５中に示したもののように、外殻帽体２の相当適所に耳介露出凹欠部２２，２２を形成した上、人体頭部へ被冠した際に、耳介露出凹欠部２２，２２との間に左右耳殻を配置させ、その下側を回り込むよう取り回して連結状に貼着可能とした貼着バンド３１，３１を設けた頭部専用冷却具１の場合には、その冷却体４を頭部に面接触させるよう被冠させてから、左右貼着バンド３１，３１各先端の剥離紙３３，３３を剥がして貼着用粘着面３２，３２を露出させ、弾性帯３，３の締め付け状態を調節しながら、貼着代２３，２３か、対応する弾性帯３の外側相当範囲か、あるいは外殻帽体２かの何れかの外側面適所に貼着させて仮固定することが可能となる。
【００３５】
（実施例の効果）
以上のような構成からなる実施例１の頭部専用冷却具１は、前記この考案の効果の項で記載の特徴に加え、図２中に示した冷却体４が、高分子吸収材４１を積層状に挟み込んだ綿状パルプ４２の、装着の際に人体頭部側となる側面を吸水紙４３で覆い、またそれとは反対側となる外側面を外殻帽体２によって覆われたものとし、さらにそれらを点在状となる複数箇所でホットメルト結合５，５，……したことから、予め外殻帽体２とは別体に製造された冷却体４を一体化するものに比較して製造工数と部品点数とを削減し、製品の薄型化と軽量化とを実現できると共に、冷却材４のズレ動きや偏り、変形を確実に防止できるという効果を発揮するものとなる。
【００３６】
また、図３中に示したように、外殻帽体２の外側面と冷却体４の、装着の際に人体頭部側に面する側面との双方、略全面にメッシュ状表面シート６，６を被着、一体化させたものとすることによって冷却体４の通気性を十分に確保した上、結露の発生を防止し、頭部専用冷却具１全体が柔軟性に富む肌触りを呈するという利点がある。
【００３７】
さらに、図１および図６中に示した弾性帯３が、頭部の周囲寸法の異なる人々に幅広く装着可能となり、しかも人体頭部との隙間を解消し、高いフィット感を得て優れた冷却性能を発揮できるものとなり、加えて図４および図７に示したように、外殻帽体２の適所に耳介露出口２１，２１を開口したものでは、冷却体４が、後頭部と左右耳殻の周囲、および前額の左右眉毛に達する付近に至るよう、より深く被冠して頭部の全体を覆い尽くして冷却できるものとすることができる上、耳殻の過剰冷却を阻止して聴覚を確保できるものとなって特に乳幼児等にも不快感を与えることなく、快適に被冠させることを可能にするという効果が得られる。
【００３８】
そして、図５中に示した頭部専用冷却具１では、左右貼着バンド３１，３１の固定位置を自在に変更することによって格段に広い頭部周り寸法範囲に対応することが可能となり、弾性帯３，３の締め付け具合も、個々人の要望に応じて自由に調節できるものとなるので、病状に応じて最適な被冠状態を確保できるようになるという秀れた効果を発揮できるものとなる。
【００３９】
（結  び）
叙述の如く、この考案の頭部専用冷却具は、その新規な構成によって所期の目的を遍く達成可能とするものであり、しかも製造も容易で、従前からのシート型あるいはラミネートパック型の冷却用品に比較して頭部全体に被冠状に装着できて皮膚に直接、粘着剤を貼着する必要がなく、気触れや爛れ等の肌トラブルを防ぎ、乳幼児から大人まで安全且つ快適に被冠、装着できる上、より大量の揮発性液体を保有可能なことから格段に大きな冷却能力が得られ、頭部全体を略均質に冷却することができ、さらに複数回に渡る再使用が可能で経済性に秀れ、使用後はそのままリサイクル処理できることとなって自然環境にも優しいことから、多くの人々によってその秀れた実用性が認められるだけではなく、関係する製造、販売業界全体からも高く評価され、広範に渡って利用、普及していくものになると予想される。                                                                                                
【図面の簡単な説明】
【００４０】
図面は、この考案の頭部専用冷却具の技術的思想を具現化した代表的な幾つかの実施例を示すものである。
【図１】展開状態にある頭部専用冷却具を示す平面図である。
【図２】頭部専用冷却具の冷却体を示す断面図である。
【図３】メッシュ状表面シートを装着した冷却体を示す断面図である。
【図４】耳介露出口を形成した頭部専用冷却具を展開して示す平面図である。
【図５】貼着バンドを設けた頭部専用冷却具を展開して示す平面図である。
【図６】図１の頭部専用冷却具の頭部装着状態を示す正面図である。
【図７】図４の頭部専用冷却具の頭部装着状態を示す正面図である。
【符号の説明】
【００４１】
１      頭部専用冷却具
２      外殻帽体
２１    同  耳介露出口
２２    同  耳介露出凹欠部
２３    同  貼着代
３      弾性帯
３１    同  貼着バンド
３２    同  貼着用粘着面
３３    同  剥離紙
４      冷却体
４１    同  高分子吸収材
４２    同  綿状パルプ
４３    同  吸水紙
５      ホットメルト結合部
６      メッシュ状表面シート                                                                                                
【図１】
0003118401.tif 000003
【図２】
0003118401.tif 000004
【図３】
0003118401.tif 000005
【図４】
0003118401.tif 000006
【図５】
0003118401.tif 000007
【図６】
0003118401.tif 000008
【図７】
0003118401.tif 000009